(57)【要約】【課題】  送信部より所定のキャリア周波数のパルス状の赤外線を送信するとともに赤外線受光素子を備えた受信部で前記赤外線を受信し、前記受信部で受信した赤外線の変換電流を電圧変換部にて変換電圧に変換するとともに該変換電圧から前記キャリア周波数成分を周波数成分抽出手段にて抽出し、該キャリア周波数成分の大きさが規定値以下の場合に侵入者有りと判定する判定部を備えたものにおいて、受信部に外乱光として過度の光が赤外線受光素子に照射されて変換電圧が飽和した状態となった場合に侵入者有りと誤検知されるの防止することができる赤外線防犯装置を提供する。【解決手段】  電圧変換部３にて変換された変換電圧３０が飽和した際に該飽和状態を検知して侵入者有りと判定しないか又は侵入者有りと判定するのを保留するためのローパスフィルター４１およびレベル判定回路４２からなる侵入者誤検知防止手段４を設けた。【選択図】        図１
2006018480.tif 000002
【特許請求の範囲】
【請求項１】
送受信されている赤外線が遮断されることで侵入者を検知する赤外線防犯装置であって、送信部より所定のキャリア周波数のパルス状の赤外線を送信するとともに赤外線受光素子を備えた受信部で前記赤外線を受信し、前記受信部で受信した赤外線の変換電流を電圧変換部にて変換電圧に変換するとともに該変換電圧から前記キャリア周波数成分を周波数成分抽出手段にて抽出し、該キャリア周波数成分の大きさが規定値以下の場合に侵入者有りと判定する判定部を備えたものにおいて、電圧変換部にて変換された変換電圧が飽和した際に該飽和状態を検知して侵入者有りと判定しないか又は侵入者有りと判定するのを保留するためのローパスフィルターおよびレベル判定回路からなる侵入者誤検知防止手段を設けて成ることを特徴とする赤外線防犯装置。
【発明の詳細な説明】
【技術分野】
【０００１】
本発明は、送受信されている赤外線が遮断される侵入者を検知する赤外線防犯装置に関するものである。
【背景技術】
【０００２】
従来より、住宅外構において送受信されている赤外線が遮断されることで侵入者を検知する赤外線防犯装置が用いられている（例えば特許文献１参照）。
【０００３】
これは、定常的に送信部から赤外線を送信するとともに赤外線受光素子を備えた受信部で前記赤外線を受信し、前記受信部で受信される赤外線が規定値以下に下がると、侵入者によって赤外線が遮断されたとみなして侵入者ありと判定する判定部を設けたものである。
【０００４】
受信部の赤外線受光素子には、フォトトランジスタやフォトダイオードが使用されるものであるが、このような従来の赤外線防犯装置にあっては、赤外線受光素子に送信部からの赤外線以外の様々な光、例えば太陽光や屋外照明ランプ、車のヘッドライト等の外乱光が入射して送信部からの赤外線と誤検知されてしまうことがあった。
【０００５】
そこで、一般の外乱としての光（例えば太陽光等）と区別することができるようにパルス状の赤外線を送信するものが考えられた。このものは、図５に示すように、送信部より所定のキャリア周波数のパルス状の赤外線を送信するとともに赤外線受光素子２０を備えた受信部２（図２参照）で前記赤外線を受信し、受信部２で受信した赤外線の変換電流を負荷抵抗Ｒからなる電圧変換部３にて変換電圧３０（図２参照）に変換し、この変換電圧３０を増幅回路５にて増幅するとともにそのキャリア周波数成分３０ａ（図４の区間イ参照）を周波数成分抽出手段６にて抽出するとともにこれを波形整形回路７にて整形した後にマイコン等からなる判定部８に入力し、該キャリア周波数成分３０ａの大きさが規定値以下の場合に判定部８によって送信部から送信された赤外線が遮断されたとみなして侵入者有りと判定するものであった。
【０００６】
しかしながらこの場合でも、外乱光として過度の光が赤外線受光素子２０に照射されると、受信部２から変換電流を変換電圧３０に変換する際に電圧変換部３で発生した電圧の計測部（図示せず）でオーバーレンジとなって図４の区間ロに示すように変換電圧３０が直流成分３０ｂで飽和した状態となってしまい、周波数成分抽出手段６にてキャリア周波数成分３０ａを抽出しようとしても飽和した直流成分３０ｂに埋没して抽出されずに規定値以下となってしまい、判定部８にて侵入者有りと判定されてしまうものであった。
【特許文献１】実開平１−１３３６９１号公報
【発明の開示】
【発明が解決しようとする課題】
【０００７】
本発明は上記の点に鑑みてなされたものであり、その目的とするところは、送信部より所定のキャリア周波数のパルス状の赤外線を送信するとともに赤外線受光素子を備えた受信部で前記赤外線を受信し、前記受信部で受信した赤外線の変換電流を電圧変換部にて変換電圧に変換するとともに該変換電圧から前記キャリア周波数成分を周波数成分抽出手段にて抽出し、該キャリア周波数成分の大きさから侵入者の有無を判定部により判定するものにおいて、受信部に外乱光として過度の光が赤外線受光素子に照射されて変換電圧が飽和した状態となった場合に侵入者有りと誤検知されるのを防止することができる赤外線防犯装置を提供することを課題とするものである。
【課題を解決するための手段】
【０００８】
上記課題を解決するために請求項１に係る発明にあっては、送受信されている赤外線１が遮断されることで侵入者を検知する赤外線防犯装置であって、送信部より所定のキャリア周波数のパルス状の赤外線１を送信するとともに赤外線受光素子２０を備えた受信部２で前記赤外線１を受信し、前記受信部２で受信した赤外線１の変換電流を電圧変換部３にて変換電圧３０に変換するとともに該変換電圧３０から前記キャリア周波数成分３０ａを周波数成分抽出手段６にて抽出し、該キャリア周波数成分３０ａの大きさが規定値以下の場合に侵入者有りと判定する判定部８を備えたものにおいて、電圧変換部３にて変換された変換電圧３０が飽和した際に該飽和状態を検知して侵入者有りと判定しないか又は侵入者有りと判定するのを保留するためのローパスフィルター４１およびレベル判定回路４２からなる侵入者誤検知防止手段４を設けて成ることを特徴とするものである。
【０００９】
このような構成とすることで、受信部２に外乱光として過度の光が赤外線受光素子２０に照射されて変換電圧３０が飽和してキャリア周波数成分３０ａの大きさが規定値以下となっても、侵入者誤検知防止手段４が変換電圧３０の飽和を検知して判定部８が侵入者有りと判定しないか又は侵入者有りと判定するのを保留するようにするため、侵入者が無いにも拘わらず侵入者有りと誤検知されるの防止することができる。
【発明の効果】
【００１０】
本発明にあっては、受信部に外乱光として過度の光が赤外線受光素子に照射されて変換電圧が飽和してキャリア周波数成分の大きさが規定値以下となっても、侵入者誤検知防止手段が変換電圧の飽和を検知して判定部が侵入者有りと判定しないか又は侵入者有りと判定するのを保留するようにするため、侵入者が無いにも拘わらず侵入者有りと誤検知されるの防止することができる。
【発明を実施するための最良の形態】
【００１１】
以下、本発明の実施の形態について図面に基づいて説明する。
【００１２】
赤外線防犯装置は、住宅外構等において送信部と受信部とを間隔をあけて配置され、送信部から赤外線を送信するとともに赤外線受光素子を備えた受信部で前記赤外線を受信するものである。
【００１３】
赤外線は、図３に示すように、送信部から所定のキャリア周波数の矩形状のパルス状の赤外線１を送信し、図２に示す受信部２の赤外線受光素子２０で前記赤外線１を受信する。送信部と受信部２の構成は特に限定されないが、本実施形態では、送信部は赤外線ＬＥＤから発する赤外線をレンズを通して指向性を持たせて受信部２に向けて照射するものである。送信部から送信するパルス状の赤外線１は、図３（ａ）に示すように連続的に照射するもの、あるいは図３（ｂ）に示すように間欠的に照射するもののいずれであってもよい。
【００１４】
受信部２は、集光レンズ（図示せず）を通して送信部を向く方向を中心に一定の角度θ（ｄｅｇ）の範囲からの赤外線を赤外線受光素子２０に集光させるようにしている。赤外線受光素子２０には、フォトトランジスタやフォトダイオードを使用するもので、本実施形態では図２に示すように、赤外線受光素子２０としてのフォトトランジスタに５Ｖの印加電圧を印加し、赤外線受光素子２０に照射された赤外線量に応じて電流が発生する。
【００１５】
そして、図１に示すように、受信部２で受信した赤外線１の変換電流を電圧変換部３にて変換電圧３０に変換し（図４参照）、この変換電圧３０を増幅回路５で増幅してからキャリア周波数成分３０ａ（図４の区間イ参照）を周波数成分抽出手段６にて抽出し、これを波形整形回路７にて整形してからマイコン等からなる判定部８に入力させ、そのキャリア周波数成分３０ａの大きさから侵入者の有無を判定部８により判定するものである。すなわち、前記変換電圧３０のキャリア周波数成分３０ａが規定値以下に下がると、送信部から送信された赤外線１が侵入者によって遮断されたとみなし、侵入者有りと判定する。
【００１６】
ここで、外乱光として過度の光が赤外線受光素子２０に照射されると、変換電圧３０が図４の区間ロに示すように直流成分３０ｂで飽和した状態となってしまい、周波数成分抽出手段６にてキャリア周波数成分３０ａを抽出しようとしても飽和した直流成分３０ｂに埋没して抽出されずに規定値以下となってしまうが、本発明では、この場合に判定部にて侵入者有りと判定しないか又は侵入者有りと判定するのを保留するための侵入者誤検知防止手段４が設けてある。
【００１７】
侵入者誤検知防止手段４は、ローパスフィルター４１およびレベル判定回路４２からなるもので、電圧変換部３からの変換電圧３０が入力される。入力された変換電圧３０はローパスフィルター４１に入力されてローパス（即ち所定以下の周波数成分（ここでは略直流成分のみ）を通過）させる。そして、このローパスフィルター４１によってローパスされた変換電圧３０の直流成分３０ｂをレベル判定回路４２に入力し、規定値（略飽和状態での値）以上か否かをレベル判定し、この判定情報を判定部８に送信する。
【００１８】
レベル判定回路４２にて直流成分３０ｂが規定値以上と判定された場合、変換電圧３０は飽和していると判定部８によってみなされ、この時キャリア周波数成分３０ａは規定値以下となるが侵入者無しと判定する（侵入者有りと判定しない）か、侵入者有りと判定するのを保留するようにしている。
【００１９】
レベル判定回路４２にて直流成分３０ｂが規定値以下と判定された場合、変換電圧３０は飽和していないと判定部８によってみなされ、この時、キャリア周波数成分３０ａが規定値以下であれば侵入者有りと判定し、キャリア周波数成分３０ａが規定値以上であれば侵入者無しと判定する。
【００２０】
このように、侵入者誤検知防止手段４を設けたことで、受信部２に外乱光として過度の光が赤外線受光素子２０に照射されて変換電圧３０が飽和してキャリア周波数成分３０ａの大きさが規定値以下となっても、侵入者誤検知防止手段４が変換電圧３０の飽和を検知して判定部８が侵入者有りと判定しないか又は侵入者有りと判定するのを保留するようにするため、侵入者が無いにも拘わらず侵入者有りと誤検知されるの防止することができる。
【図面の簡単な説明】
【００２１】
【図１】本実施形態の全体構成の説明図である。
【図２】同上の受信部および電圧変換部の説明図である。
【図３】同上の送信部から送信するパルス状の赤外線を示し、（ａ）は連続的に発信する場合の時系列グラフであり、（ｂ）は間欠的に発信する場合の時系列グラフである。
【図４】同上の電圧変換部で変換された変換電圧を示す図である。
【図５】従来の全体構成の説明図である。
【符号の説明】
【００２２】
２  受信部
２０  赤外線受光素子
３  電圧変換部
４  侵入者誤検知防止手段
４１  ローパスフィルター
４２  レベル判定回路
５  増幅回路
６  周波数成分抽出手段
７  波形成形回路
８  判定部
【図１】
2006018480.tif 000003
【図２】
2006018480.tif 000004
【図３】
2006018480.tif 000005
【図４】
2006018480.tif 000006
【図５】
2006018480.tif 000007